(57)【要約】【課題】快適なハンズフリー通話を提供する。【解決手段】充電部５００の載置部５１０左側には、マイク孔５９０が形成されており、携帯電話１を縦向きに充電する際に携帯電話１のマイクが、外部からの音をマイク孔５９０を介して拾うことが可能である。又、携帯電話１のマイクは、充電部５００の孔５７０、通信部６００の第２のケーブル孔６２０、第１のケーブル孔６１０を介して外部からの音声を拾うことが可能である。【選択図】  図４
2004289344.tif 000002
【特許請求の範囲】
【請求項１】
下部にマイクを有する通信機器を縦向きに載置して充電する充電器において、
前記充電器は、前記通信機器を載置した際に、前記通信機器のマイクに近傍する位置にマイク孔が形成されていることを特徴とする充電器。
【請求項２】
下部にマイクを有する通信機器を縦向きに載置して充電する充電器において、
前記充電器は、台部と、該台部上に搭載された充電部とからなり、
前記充電部は、上面に通信機器を載置する為の載置部を有すると共に前記載置部から前記充電部の底面まで延在する貫通孔とを有し、
外部の音を前記台部の側面から前記マイクに伝える為に前記貫通孔と連通する空間部を前記台部に設けたことを特徴とする充電器。
【請求項３】
請求項１又は２記載の充電器であり、前記充電器の底面には足部が形成されていることを特徴とする充電器。
【発明の詳細な説明】
【０００１】
【発明の属する技術分野】
本発明は、通信機器の充電器に関する。
【０００２】
【従来の技術】
携帯電話装置等の通信機器に搭載されたバッテリを充電する為の充電装置は、様々な形状のものが製品化され、又、提案されている。
【０００３】
例えば、ストレートタイプの携帯電話を立て向きに置いた状態で充電可能な充電器が提案されている（例えば、文献１参照）。
【０００４】
【特許文献１】
特開平１１−３３２１１４号公報（第３頁〜第４頁及び図１）。
【０００５】
【発明が解決しようとする課題】
前記特許文献１に記載のような縦向き充電可能な充電器は、着信時に表示部
を容易に見ることができるというメリットがある。しかし、縦向き充電状態でハンズフリー通話を行おうとすると、マイク孔が充電器により塞がってしまい、通話者が発する音声が相手側に伝わりにくくなるといった問題が生じる。
【０００６】
【課題を解決するための手段】
本発明はこのような課題を解決する為のものであり、請求項１記載の充電器は、
下部にマイクを有する通信機器を縦向きに載置して充電する充電器において、  前記充電器は、前記通信機器を載置した際に、前記通信機器のマイクに近傍する位置にマイク孔が形成されていることを特徴とする。
【０００７】
請求項２記載の充電器は、下部にマイクを有する通信機器を縦向きに載置して充電する充電器において、前記充電器は、台部と、該台部上に搭載された充電部とからなり、前記充電部は、上面に通信機器を載置する為の載置部を有すると共に前記載置部から前記充電部の底面まで延在する貫通孔とを有し、外部の音を前記台部の側面から前記マイクに伝える為に前記貫通孔と連通する空間部を前記台部に設けたことを特徴とする。
【０００８】
請求項３記載の充電器は、請求項１又は２記載の充電器であり、前記充電器の底面には足部が形成されていることを特徴とする。
【０００９】
【発明の実施の形態】
本発明を適用してなる実施例装置では、携帯電話を縦向きに充電器に置いた場合でも、マイクがユーザの音声を容易にひろえるよう、マイク孔を充電器に設けている。
【００１０】
図１は、本実施例装置である充電装置に載置し充電可能な携帯電話の斜視図である。
【００１１】
図１において、携帯電話１は、表示部１０（図示せず）と、該表示部１０の裏面に形成されたメイン表示部１１と、スピーカ１３を有する第１の筐体１００と、一対の充電端子３０、３０、通信用ケーブルを挿入するための通信用コネクタ４０、テンキーや通話キー等からなる入力部５０と、マイク６０とを有する第２の筐体２００とが、ヒンジ部３００を介して図１中矢印方向に開閉可能である。尚、通信用コネクタ４０は、２つの充電端子３０、３０の間に配設される。
【００１２】
図２は、図１に示す携帯電話１を本実施例装置の充電器に搭載した際の斜視図を示している。
【００１３】
充電器４００は、充電部５００と通信部６００の２つの部分を有しており、充電部５００には電源ケーブル７００が接続されると共にマイク孔５９０が配されている。一方、通信部６００には通信用ケーブル８００が接続される。又、前記充電部５００は通信部６００から取り外し可能であり、充電部５００のみに携帯電話を搭載し携帯電話を充電することも可能である。
【００１４】
図３は、図２に示す充電器４００を矢印Ａ方向から見た断面図である。
【００１５】
但し、図３では携帯電話を記載していない状態での充電器４００の断面図を示している。
【００１６】
図３において、充電部５００は、携帯電話を載置するため為の載置部５１０を有している。
【００１７】
又、載置部５１０の底面には、携帯電話を載置部５１０に載置した際に携帯電話の充電端子３０と接触する充電端子５２０が配置されている。
【００１８】
図３において、前記載置部５１０より図３紙面右側には、電源ケーブル７００を接続する為の電源コネクタ５３０が配置されており、電源コネクタ５３０は、電源基板５４０を介して充電端子５２０と電気的に接続されている。又、前記電源基板５４０には、ダイオードや抵抗等からなる保護回路が形成されており、電源コネクタ５３０からの電圧が常に一定の値で充電端子５２０に供給されている。
【００１９】
一方、前記載置部５１０より図３紙面左側には、マイク孔５９０が設けられている。
【００２０】
尚、前記充電端子５２０は、図１に示す通信装置の充電端子３０に対応する位置に２つ配置されており、２つの充電端子の間には、通信ケーブル６００を挿通させるための孔５７０が形成されている。
【００２１】
一方、通信部６００の内部は略空洞になっており、通信部６００の図３紙面左側には通信用ケーブル８００を通す為の第１の通信ケーブル孔部６１０が形成されており、通信部６００の上面には、通信用ケーブル８００を載置部５１０まで通じさせる為の第２の通信ケーブル孔部６２０が形成されている。
【００２２】
図３に示すように前記充電部５００と前記通信部６００とを接続した状態では、前記第２の通信ケーブル孔部６２０の上方に位置する充電部５００の底面は、略空洞になっており、更に、上述したように前記２つの充電端子５２０の間には孔５７０が形成されている。従って、図３に示す状態では、前記充電部５００の載置部５１０と前記通信部６００の内部との間に通信ケーブルを挿通させることが可能である。
【００２３】
前記載置部５１０の図３紙面右側には付勢部材５５０が配置されており、スプリング５６０によって前記付勢部材５５０が載置部５１０側へ付勢されている。この付勢部材５５０については後ほど詳細に説明する。
【００２４】
図４は、携帯電話１を載置部５１０に載置した状態での充電器４００の断面図である。尚、充電部５００の充電端子５２０は図示していない。
【００２５】
図４において、携帯電話１は通信用ケーブル８００を介してパソコン（図示せず）と接続されており、充電部５００の付勢部材５５０が載置部５１０に載置された携帯電話１が容易に抜け落ちないように携帯電話１を付勢している。
【００２６】
通信ケーブル８００を携帯電話１に装着した状態で携帯電話１を携帯電話載置部５１０に載置すると、通信ケーブル８００がたわむことにより、携帯電話１が携帯電話載置部５１０から浮き、あるいは外れ、携帯電話の充電端子３０と充電部５００の充電端子５２０とが非接触となる可能性がある。このような事態を回避する為に前記付勢部材５５０が携帯電話１を付勢している。
【００２７】
尚、携帯電話１に通信ケーブル８００を接続してから、通信ケーブル８００を、２つの充電端子５２０の間の孔５７０、第２の通信ケーブル孔部６２０．第１の通信ケーブル孔部６１０へ挿通することにより、通信ケーブル８００を介して携帯電話１とパソコン（図示せず）を接続可能であり、又、パソコンと通信ケーブル８００とを接続してから、通信ケーブル８００を第１の通信ケーブル孔部６１０、第２の通信ケーブル孔部６２０、２つの充電端子５２０の間の孔５７０へ挿通することにより、通信ケーブル８００を介して携帯電話１とパソコン（図示せず）を接続することもできる。
【００２８】
図４に示すように、携帯電話１を載置部５１０に載置し、通信ケーブル８００を介して携帯電話１とパソコン（図示せず）を電気的に接続した状態で、携帯電話１の充電端子３０と充電部５００の充電端子５２０が接続し、携帯電話１のバッテリが充電される。
【００２９】
携帯電話１を載置部５１０に載置した状態では、例えば図２の斜視図に示すように、表示部１０に電波状態と送信状態を示すメッセージ（例えば、「送信中」）が表示される。このとき、携帯電話１は立て向きに載置されているため、ユーザは表示部１０を容易に見ることが可能である。即ち、ユーザは、通信操作を行いながら容易に電波状態や通信状況を認識することが可能である。
【００３０】
又、携帯電話１を縦向きに充電した際に、携帯電話１のマイク６０の近辺に充電部５００のマイク孔５９０が位置するような構成となっている為、携帯電話１を用いてハンズフリー通話を行う際に、携帯電話１のマイク６０が容易に外部からの音を拾えるようにしている。
【００３１】
尚、図４において、携帯電話１のマイク６０は、携帯電話１の筐体が閉じている為にふさがれた状態となっているが、通常、ハンズフリー通話ではマイク６０のゲインをあげる為に、携帯電話を閉じていても支障はない。又、付勢部材５５０の付勢力により、携帯電話１が載置部５１０に密着した状態で載置されているが、携帯電話１のマイク６０が、充電部５００と携帯電話１との間のわずかな隙間を通る音声信号を拾うだけでも十分にハンズフリー通話が可能であり、又、マイク孔５９０と孔５７０、更に充電部５００と携帯電話１の筐体を介して伝わってくる音声信号をマイク６０が拾う為、ハンズフリー通話を行う為の十分な音量を確保することができる。
【００３２】
図５は、充電部５００を通信部６００から外し、充電部５００の載置部５１０に携帯電話１を載置した状態の斜視図を示している。
【００３３】
図５に示すように充電部５００を通信部６００から外し、更に、通信ケーブル８００を携帯電話１から取り外すことにより、通信ケーブル８００を携帯電話１に接続していない状態で携帯電話１のバッテリを充電することも可能である。
【００３４】
充電部５００を通信部６００から外すには、充電部５００を図３に示す矢印Ｂ方向に移動させることにより、図３に示す通信部６００上面に形成された略ユの字状の凸部６３０と充電部５００底面に形成された凹部５８０の係合を解除することが可能である。
【００３５】
このように、充電器４００を充電のためだけに使用する際には、通信部６００を取り外し充電部５００だけを持ち運ぶことが可能である為、不要な荷物が発生することがない。
【００３６】
又、充電部５００だけを用いて、携帯電話１を充電する際でも、携帯電話１のマイク６０の近辺に充電部５００のマイク孔５９０が位置するような構成となっている為、携帯電話１を用いてハンズフリー通話を行う際に、携帯電話１のマイク６０が容易に外部からの音を拾えるようにしている。
【００３７】
更に、別の構成として、図６に示すように、通信部底面に足９００を配置する構成としても良い。前記足は最低３つ以上設けることにより、充電器４００を安定した状態で載置することができると共に、外部からの音を通信部６００内部の空洞へ伝わり易くすることが可能である。
【００３８】
以上説明したように、本実施例装置では、携帯電話１を縦向きに充電した際に、携帯電話１のマイク６０近傍に、充電部５００のマイク孔５９０が位置するように形成されている為、携帯電話１のマイク６０が容易に外部からの音を拾えるようにしている。
【００３９】
又、携帯電話１を縦向きに充電した際に、外部からの音が通信部６００の第１ケーブル孔６１０及び第２ケーブル孔６２０、充電部５００の孔５７０を介して携帯電話１のマイク６０に入ってくる為、携帯電話１のマイク６０が外部からの音を容易に拾うことが可能である。
【００４０】
この為、ハンズフリー通話時でも快適な通話をユーザに提供することが可能であうＲ。
【００４１】
尚、本実施例では、携帯電話１を折りたたんだ状態で充電できる構成を示したが、ストレートタイプの携帯電話を縦向きに充電する構成としても良い。
【００４２】
折り畳み式の携帯電話では、折り畳んだ状態で充電をするとマイク孔が筐体によりふさがってしまい、マイクがユーザの声を十分に拾えない可能性がある。しかし、ストレートタイプの携帯電話では、通常、マイク孔は筐体の底面近傍に形成されているだけでなく常時マイク孔が露出している為、ストレートタイプの携帯電話を縦向きに充電する際には、携帯電話のマイクが外部からの音を折り畳み式の携帯電話に比べ拾い易いのは言うまでもない。
【００４３】
このようなストレートタイプの携帯電話を充電する際にも、充電部５００のマイク孔５９０により外部からの音声が携帯電話のマイクに容易に伝わることになる。
【００４４】
【発明の効果】
本発明は、快適なハンズフリー通話を提供することを可能とする。
【図面の簡単な説明】
【図１】携帯電話の斜視図である。
【図２】携帯電話を載置した充電器４００の斜視図である。
【図３】充電器４００の断面図である。
【図４】携帯電話を載置した充電器４００の断面図である。
【図５】携帯電話を載置した充電部５００の斜視図である。
【図６】他の充電器４００の実施形態を示す斜視図である。
【符号の説明】
１  携帯電話
６０  マイク
４００  充電器
５００  充電部
５９０  マイク孔
６００  通信部
６１０  第１のケーブル孔
６２０  第２のケーブル孔
９００  足部
【図１】
2004289344.tif 000003
【図２】
2004289344.tif 000004
【図３】
2004289344.tif 000005
【図４】
2004289344.tif 000006
【図５】
2004289344.tif 000007
【図６】
2004289344.tif 000008